(57)【要約】【課題】利便性の高い蓄電システムを提供する。【解決手段】蓄電システム１００は、系統電源４３０に接続されるＰＣＳ（パワーコンディショナ）４００と接続される蓄電システムであって、ＰＣＳ４００から供給される電力を蓄電する第一蓄電池モジュール１４０、第一蓄電池モジュール１４０を内包する筐体１２０、及び、電力を供給するための第一端子部１５０を有する本体部１１０と、第一端子部１５０と電気的に接続可能であり、本体部１１０から供給される電力を受電する第二端子部２２０、及び、第一蓄電池モジュール１４０よりも蓄電容量が小さく、第二端子部２２０を介して本体部１１０から供給される電力を充電する第二蓄電池モジュール２１０を有する、第一端子部１５０と着脱可能な可搬部２００と、を備え、第一端子部１５０は、筐体１２０が有する側面側に位置する。【選択図】図２
2018139467.tif 000002
【特許請求の範囲】
【請求項１】
系統電源に接続されるパワーコンディショナと接続される蓄電システムであって、
前記パワーコンディショナから供給される電力を蓄電する第一蓄電池モジュール、前記第一蓄電池モジュールを内包する筐体、及び、電力を供給するための第一端子部を有する本体部と、
前記第一端子部と電気的に接続可能であり、前記本体部から供給される電力を受電する第二端子部、及び、前記第一蓄電池モジュールよりも蓄電容量が小さく、前記第二端子部を介して前記本体部から供給される電力を充電する第二蓄電池モジュールを有する、前記第一端子部と着脱可能な可搬部と、
を備え、
前記第一端子部は、前記筐体が有する側面側に位置する、
蓄電システム。
【請求項２】
前記第一端子部は、前記筐体が有する第一側面側に位置し、
前記第一側面は、前記筐体が有する側面の中で、最大面積を有する第二側面よりも面積が小さい、
請求項１に記載の蓄電システム。
【請求項３】
前記可搬部は、前記第一側面と交差する方向の軸を回転軸として回動されることで、前記第一端子部と着脱可能となるように構成される、
請求項２に記載の蓄電システム。
【請求項４】
前記可搬部は、前記第二側面と交差する方向の軸を回転軸として回動されることで、前記第一端子部と着脱可能となるように構成される、
請求項２に記載の蓄電システム。
【請求項５】
前記可搬部は、照明部と、前記照明部の点灯を制御する光制御部と、ユーザからの指示を取得する操作部とを有し、
前記光制御部は、前記操作部がユーザから前記照明部を点灯する指示を取得した場合、及び、前記第一蓄電池モジュールに系統電源から電力が供給されなくなったことを検知した場合、前記照明部を点灯させる、
請求項１〜４のいずれか１項に記載の蓄電システム。
【請求項６】
前記可搬部は、さらに、外部機器に電力を供給するための、前記外部機器と電気的に接続可能な第三端子部を備える、
請求項１〜５のいずれか１項に記載の蓄電システム。
【請求項７】
前記可搬部は、さらに、前記第二蓄電池モジュールの充電レートを、前記第一蓄電池モジュールと同じ充電レートである通常モードと、前記通常モードよりも高い充電レートである高速モードとを切り替える制御をする充電制御部を備える、
請求項１〜６のいずれか１項に記載の蓄電システム。
【請求項８】
前記本体部は、前記第一蓄電池モジュールの電力を前記第二蓄電池モジュールに供給するための電源部を備え、
前記電源部は、前記第一蓄電池モジュール及び前記第二蓄電池モジュールの少なくとも一方よりも上方に配置されている、
請求項１〜７のいずれか１項に記載の蓄電システム。
【請求項９】
前記可搬部は、さらに、表示部と、前記表示部の表示態様を制御する表示制御部とを備え、
前記表示制御部は、
前記本体部及び前記可搬部が正常動作していると判断した場合、第一表示態様となるように前記表示部を制御し、
前記本体部又は前記可搬部が異常動作していると判断した場合、前記第一表示態様とは異なる第二表示態様となるように前記表示部を制御する、
請求項１〜８のいずれか１項に記載の蓄電システム。
【発明の詳細な説明】
【技術分野】
【０００１】
本発明は、系統電源に接続されるパワーコンディショナと接続される蓄電システムに関する。
【背景技術】
【０００２】
従来、系統電源、太陽電池等から供給される電力を充電する蓄電システムがある。例えば、特許文献１には、太陽電池で発電されたエネルギーをリチウムイオン電池等の蓄電池に充電し、電気機器に電力の供給を行う電源装置の技術が開示されている。こうすることで、災害等が発生した場合に、停電が起きた場合においても、太陽電池を利用することで、電力を発生させることができる。
【先行技術文献】
【特許文献】
【０００３】
【特許文献１】特開２０１３−２４０１５６号公報
【発明の概要】
【発明が解決しようとする課題】
【０００４】
ところで、例えば、災害等が発生した場合には、ユーザは、状況に応じて蓄電池を備える蓄電装置（蓄電システム）を、当該蓄電装置が設置されている場所から避難所等の別の場所へ持ち運びたい場合がある。
【０００５】
ここで、蓄電装置の蓄電容量を大きくする場合、蓄電池のサイズを大きくする、又は、蓄電池の数を増やすといった方法が採用されることが多く、蓄電装置は大型化される。そのため、蓄電装置を持ち運ぶことが困難となる場合がある。また、蓄電装置を小さくすると、蓄電装置の蓄電容量が小さくなることとなり、例えば、照明機器、冷蔵庫等の消費電力が大きい機器を継続して動作させることが困難になり、蓄電装置の利便性の低下が懸念される。
【０００６】
そこで、本発明は、利便性が向上された蓄電システムを提供する。
【課題を解決するための手段】
【０００７】
本発明の一態様に係る蓄電システムは、系統電源に接続されるパワーコンディショナと接続される蓄電システムであって、前記パワーコンディショナから供給される電力を蓄電する第一蓄電池モジュール、前記第一蓄電池モジュールを内包する筐体、及び、電力を供給するための第一端子部を有する本体部と、前記第一端子部と電気的に接続可能であり、前記本体部から供給される電力を受電する第二端子部、及び、前記第一蓄電池モジュールよりも蓄電容量が小さく、前記第二端子部を介して前記本体部から供給される電力を充電する第二蓄電池モジュールを有する、前記第一端子部と着脱可能な可搬部と、を備え、前記第一端子部は、前記筐体が有する側面側に位置する。
【発明の効果】
【０００８】
本発明の蓄電システムによれば、利便性が向上される。
【図面の簡単な説明】
【０００９】
【図１】図１は、実施の形態に係る蓄電システムの外観斜視図である。
【図２】図２は、実施の形態に係る蓄電システムの特徴的な機能構成を示すブロック図である。
【図３】図３は、実施の形態に係る蓄電システムが備える可搬部及び第一端子部を正面側から見た場合を示す外観図である。
【図４】図４は、実施の形態に係る蓄電システムが備える第一端子部を正面側から見た場合を示す外観図である。
【図５】図５は、実施の形態に係る蓄電システムが備える可搬部を底面側から見た場合を示す外観図である。
【図６】図６は、実施の形態に係る蓄電システムが備える可搬部と外部機器との接続状態を説明するための図である。
【図７】図７は、実施の形態に係る蓄電システムが備える可搬部をユーザが本体部から取り外した状態を説明するための図である。
【図８】図８は、実施の形態に係る蓄電システムが備える可搬部を第一端子部から取り外す場合の可搬部の動きを説明するための図である。
【図９】図９は、実施の形態に係る蓄電システムが備える光制御部が照明部を制御する際の動作手順を示すフローチャートである。
【図１０】図１０は、実施の形態に係る蓄電システムが備える充電制御部が第二蓄電池モジュールの充電モードを変更する際の動作手順を示すフローチャートである。
【図１１】図１１は、実施の形態に係る蓄電システムが備える表示制御部が表示部を制御する際の動作手順を示すフローチャートである。
【図１２】図１２は、実施の形態の変形例１に係る蓄電システムの外観斜視図である。
【図１３】図１３は、実施の形態の変形例２に係る蓄電システムの外観斜視図である。
【発明を実施するための形態】
【００１０】
以下、実施の形態に係る蓄電システムについて、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略又は簡略化される場合がある。
【００１２】
また、以下の実施の形態において、Ｚ軸方向は、例えば鉛直方向であり、Ｚ軸正方向側は、上側（上方）と記載される場合がある。また、Ｚ軸負方向側は、下側（下方）と記載される場合がある。また、Ｘ軸方向及びＹ軸方向は、Ｚ軸に垂直な平面（水平面）上において、互いに直交する方向である。
【００１３】
（実施の形態）
［蓄電システムの構成］
図１及び図２を参照して、実施の形態に係る蓄電システムについて説明する。
【００１４】
図１は、実施の形態に係る蓄電システムの外観斜視図である。図２は、実施の形態に係る蓄電システムの特徴的な機能構成を示すブロック図である。
【００１５】
図１及び図２に示されるように、蓄電システム１００は、系統電源４３０に接続されるＰＣＳ（パワーコンディショナ）４００と接続される蓄電システム（蓄電装置）である。蓄電システム１００は、本体部１１０と可搬部２００とを備える。
【００１６】
本体部１１０は、ＰＣＳ４００と接続されており、太陽電池（Ｐｈｏｔｏｖｏｌｔａｉｃｓ／ＰＶ）であるＰＶ４２０及び／又は系統電源４３０からＰＣＳ４００を介して電力を受電し、蓄電（充電）するための蓄電装置である。本体部１１０は、ＰＣＳ４００を介して受電した電力を、本体部１１０が備える１又は複数の第一蓄電池モジュール１４０に充電する。本体部１１０は、例えば、災害が発生した場合に、外部商用電源である系統電源４３０からの電力の供給（送電）が停止したとき（いわゆる停電が発生したとき）等の非常時に、第一蓄電池モジュール１４０に充電された電力を、分電盤４１０を介して照明機器４４０、冷蔵庫４５０等の負荷機器に電力を供給する電池として機能する。つまり、蓄電システム１００は、非常時に電力を供給可能な非常用蓄電システムである。
【００１７】
可搬部２００は、本体部１１０と着脱可能であり、第一蓄電池モジュール１４０よりも蓄電容量（満充電した場合に蓄電可能な容量の初期値）が小さい第二蓄電池モジュール２１０を有する。可搬部２００は、例えば、災害が発生した場合に、ユーザに持ち運ばれて、所望の場所で、所望の機器の充電をするための電池として機能する。
【００１８】
本体部１１０は、筐体１２０と、電源部（ＤＣＤＣコンバータ）１６０と、保護回路１７０と、第一蓄電池モジュール１４０と、第一端子部１５０とを備える。
【００１９】
筐体１２０は、第一蓄電池モジュール１４０を内包する箱体である。筐体１２０の材料は、例えば、金属材料によって形成される。本実施の形態において、筐体１２０の形状は、天面と、下面と、側面とを有するＺ軸方向に長尺な直方体形状である。当該側面には、平面視した場合に最も面積の大きい側面（第二側面）１２２と、第二側面１２２よりも面積の小さい側面（第一側面）１２１とが含まれる。言い換えると、第一側面１２１は、筐体１２０が有する側面の中で、最大面積を有する第二側面１２２よりも面積が小さい。本実施の形態において、第一側面１２１は、第二側面１２２と交差する方向に位置する。なお、本明細書において、筐体１２０の側面とは、筐体１２０のＺ軸正方向側の面である天面及びＺ軸負方向側の面である下面を除いた面であるとする。
【００２０】
電源部１６０は、系統電源４３０等からＰＣＳ４００を介して第一蓄電池モジュール１４０へ供給されてきた電力の電圧を調整するためのＤＣＤＣコンバータである。或いは、電源部１６０は、第一蓄電池モジュール１４０からＰＣＳ４００を介して照明機器４４０等の負荷機器へ供給する電力の電圧を調整する。電源部１６０は、通電された場合に、発熱しやすい。そのために、電源部１６０は、電源部１６０からの第一蓄電池モジュール１４０及び第二蓄電池モジュール２１０への熱の影響を抑制するために、第一蓄電池モジュール１４０及び第二蓄電池モジュール２１０の少なくとも一方よりも上方に配置されているとよい。電源部１６０は、電源部１６０からの第一蓄電池モジュール１４０及び第二蓄電池モジュール２１０への熱の影響を抑制するために、第一蓄電池モジュール１４０及び第二蓄電池モジュール２１０よりも上方に配置されているとよりよい。
【００２１】
保護回路１７０は、第一蓄電池モジュール１４０の過放電及び過充電を抑制するための回路である。保護回路１７０は、例えば、系統電源４３０等からＰＣＳ４００を介して第一蓄電池モジュール１４０へ電力が供給されてきた場合に、第一蓄電池モジュール１４０の過放電及び過充電が発生しないように制御する。或いは、保護回路１７０は、第一蓄電池モジュール１４０から冷蔵庫４５０等の負荷機器へ電力を供給する場合に、第一蓄電池モジュール１４０の過放電が発生しないように制御する。
【００２２】
第一蓄電池モジュール１４０は、ＰＶ４２０、系統電源４３０等からＰＣＳ４００を介して供給されてきた電力を蓄電するための蓄電池モジュールである。第一蓄電池モジュール１４０は、特に限定されるものではないが、例えば、サイクル運転用途重視型の蓄電池として、リチウムイオン電池、鉛蓄電池等が採用される。
【００２３】
また、第一蓄電池モジュール１４０は、可搬部２００が備える第二蓄電池モジュール２１０が蓄電するための電力を第二蓄電池モジュール２１０へ供給する。
【００２４】
具体的には、第一蓄電池モジュール１４０は、可搬部２００が着脱可能に取り付けられる第一端子部１５０が備える第一端子１５１（図３参照）と、第一端子１５１と電気的に接続される第二端子２２１（図４参照）とを介して、可搬部２００が備える第二蓄電池モジュール２１０を蓄電するための電力を供給する。より具体的には、ＰＣＳ４００が備えるＰＣＳ制御部４０１は、系統電源４３０等から電力が供給されている場合には、系統電源４３０等からの電力又は第一蓄電池モジュール１４０に蓄電された電力を、第二蓄電池モジュール２１０へ供給させる制御をする。また、可搬部２００が備える制御部２３０（具体的には、充電制御部２３２）は、系統電源４３０から電力が供給されていない場合には、第一蓄電池モジュール１４０に蓄電された電力を、第二蓄電池モジュール２１０へ供給させる制御をする。
【００２５】
ＰＣＳ４００は、系統電源４３０から供給されてきた電力を、蓄電システム１００へ供給するパワーコンディショナである。ＰＣＳ４００は、ＰＣＳ制御部４０１とＰＣＳ通信部４０２とを備える。
【００２６】
ＰＣＳ制御部４０１は、系統電源４３０から供給されてきた電力の、蓄電システム１００への供給を制御する制御装置である。ＰＣＳ制御部４０１は、例えばＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリ等によって実現される記憶装置（不図示）に記憶された制御プログラムとによって実現される。
【００２７】
ＰＣＳ通信部４０２は、ＰＣＳ４００と蓄電システム１００（具体的には、可搬部２００が備える通信部２８０）とが通信するための通信インターフェースである。
【００２８】
第一端子部１５０は、可搬部２００と着脱可能に接続される接続部品である。第一端子部１５０は、可搬部２００と着脱可能に接続される。
【００２９】
また、ＰＣＳ４００は、系統電源４３０からの供給が停止したことを検知するための検知部４６０をさらに備える。
【００３０】
検知部４６０は、系統電源４３０とＰＣＳ４００とを電気的に接続する電力線に電力が供給されているか否か（つまり、停電しているか否か）を検知するための停電検知機（例えば、電流センサ）である。ＰＣＳ制御部４０１は、検知部４６０によって系統電源４３０からの電力の供給の停止が検知された場合に、系統電源４３０からの電力の供給の停止を示す信号を、ＰＣＳ通信部４０２を介して、通信線でＰＣＳ４００と接続された可搬部２００へ送信する。
【００３１】
可搬部２００は、本体部１１０と着脱可能に構成される、第二蓄電池モジュール２１０を１又は複数備える蓄電装置である。可搬部２００は、本体部１１０の筐体１２０が有する側面側に位置する。具体的には、可搬部２００が電気的に接続される第一端子部１５０は、筐体１２０が有する側面側に位置する。なお、本明細書において、筐体１２０の側面側とは、筐体１２０の側面に近傍の、内側及び外側を含む領域であるとする。本実施の形態においては、第一端子部１５０は、筐体１２０が有する側面の中で、第一側面１２１側に位置する。具体的には、本実施の形態においては、第一端子部１５０は、筐体１２０の外側で、第一側面１２１に取付けられている。可搬部２００の形状は、特に限定されないが、本実施の形態においては、第一端子部１５０に可搬部２００が取り付けられた場合に、Ｚ軸方向に長尺な直方体である。可搬部２００の下面に第二端子部２２０が配置され、第一端子部１５０の上側に可搬部２００は位置する。つまり、可搬部２００が第一端子部１５０に載置されて、第一端子部１５０と第二端子部２２０とは、電気的に接続された状態となる。
【００３２】
可搬部２００は、第二蓄電池モジュール２１０と、第二端子部２２０と、制御部２３０と、操作部（ボタン）２４０と、照明部２５０と、表示部２６０と、第三端子部２７０と、通信部２８０とを備える。
【００３３】
第二蓄電池モジュール２１０は、ＰＶ４２０、系統電源４３０、又は、第一蓄電池モジュール１４０から供給されてきた電力を蓄電するための蓄電池モジュールである。第二蓄電池モジュール２１０は、特に限定されるものではないが、例えば、スタンバイ用途重視型の蓄電池として、リチウムイオン電池、鉛蓄電池等が採用される。また、第二蓄電池モジュール２１０には、例えば、高容量且つ急速充電に対応した蓄電池が採用されるとよい。
【００３４】
また、第二蓄電池モジュール２１０は、第一蓄電池モジュール１４０よりも蓄電容量が小さく設定される。具体的には、第二蓄電池モジュール２１０は、第一蓄電池モジュール１４０よりも体積が小さく、且つ、重量が軽くなるように設定される。例えば、可搬部２００は、ユーザが持ち出しやすくするために、１０ｋｇ以下となるように第二蓄電池モジュール２１０に採用される蓄電池の種類が選択されるとよい。より好ましくは、可搬部２００は、５ｋｇ以下となるように第二蓄電池モジュール２１０に採用される蓄電池の種類が選択されるとよい。
【００３５】
第一蓄電池モジュール１４０は、災害などが発生した場合等の非常時に、照明機器４４０、冷蔵庫４５０等の消費電力が比較的に大きい電気製品の電池として使用される。第一蓄電池モジュール１４０は、例えば、１日１回のサイクル運転及び系統電源４３０から電力が供給されない停電時等の電池として機能する。そのために、第一蓄電池モジュール１４０に採用される蓄電池は、サイクル運転に対して劣化しにくい性能（長いサイクル寿命）で、且つ、時間に対して劣化しにくい性能（長い保存寿命）を有するとよい。
【００３６】
また、第二蓄電池モジュール２１０は、懐中電灯のような非常時の光源、又は、スマートフォン等の比較的に消費電力の小さい外部機器３００（図６参照）の充電用の電池として機能する。第二蓄電池モジュール２１０は、持ち出し可能な電池であり、第一端子部１５０に接続されている場合には、満充電状態が維持されるように、系統電源４３０、又は、第一蓄電池モジュール１４０から電力が供給されている。
【００３７】
また、第二蓄電池モジュール２１０は、上述したように、スマートフォン等の外部機器３００へ電力の供給を行う。そのために、第二蓄電池モジュール２１０に採用される蓄電池は、時間に対して劣化しにくい性能（長い保存寿命）を有するとよい。また、第二蓄電池モジュール２１０には、停電が発生した際などの非常時に、急遽、本体部１１０から可搬部２００を取り外して、ユーザが持ち歩くことが想定されるため、高エネルギー密度で、急速充電が可能な蓄電池が選択されるとよい。
【００３８】
以上のことから、第一蓄電池モジュール１４０には、第二蓄電池モジュール２１０と比較して、蓄電容量の大きい蓄電池が採用されるとよく、第二蓄電池モジュール２１０には、第一蓄電池モジュール１４０と比較して、小型且つ軽量な蓄電池が採用されるとよい。
【００３９】
なお、第一蓄電池モジュール１４０よりも第二蓄電池モジュール２１０の方が、蓄電容量が小さければよく、第一蓄電池モジュール１４０及び第二蓄電池モジュール２１０に採用される蓄電池の材料が同一でもよいし、異なってもよい。例えば、第一蓄電池モジュール１４０及び第二蓄電池モジュール２１０に採用される蓄電池のサイズが異なることで、第一蓄電池モジュール１４０よりも第二蓄電池モジュール２１０の方が、蓄電容量が小さくなるようになされてもよい。或いは、本体部１１０に設置される第一蓄電池モジュール１４０の数と、第二蓄電池モジュール２１０との数が異なることで、第一蓄電池モジュール１４０よりも第二蓄電池モジュール２１０の方が、蓄電容量が小さくなるようになされてもよい。
【００４０】
第二端子部２２０は、本体部１１０の第一端子部１５０と着脱可能に接続される接続部品である。可搬部２００が第一端子部１５０に取り付けられることで、第二端子部２２０が備える第二端子２２１と、第一端子部１５０が備える第一端子１５１とは、電気的に接続される。
【００４１】
制御部２３０は、可搬部２００が備える操作部２４０、照明部２５０、及び、表示部２６０を制御する制御装置である。制御部２３０は、例えば、ＣＰＵと、ＲＯＭ、ＲＡＭ、ＨＤＤ、フラッシュメモリ等によって実現される記憶装置（不図示）に記憶された制御プログラムとによって実現される。制御部２３０は、機能的には、光制御部２３１と、充電制御部２３２と、表示制御部２３３とを備える。
【００４２】
光制御部２３１は、照明部２５０の点灯を制御する。具体的には、光制御部２３１は、操作部２４０がユーザから照明部２５０を点灯する指示を取得した場合、及び、第一蓄電池モジュール１４０に系統電源４３０から電力が供給されなくなったことを検知した場合、照明部２５０を点灯させる制御をする。より具体的には、光制御部２３１は、ＰＣＳ４００から、系統電源４３０から電力の供給の停止を示す信号を、通信部２８０を介して取得した場合に、照明部２５０を点灯させる制御をする。
【００４３】
充電制御部２３２は、第二蓄電池モジュール２１０の充電レート（充電速度）を、第一蓄電池モジュール１４０と同じ充電レートである通常モードと、通常モードよりも高い充電レートである高速モードとを切り替える制御をする。例えば、災害等が発生した非常時には、ユーザが可搬部２００を使用する可能性が高まることが想定される。そのために、充電制御部２３２は、系統電源４３０から電力が供給されなくなった場合には、第二蓄電池モジュール２１０の充電レートを高める。つまり、充電制御部２３２は、第二蓄電池モジュール２１０が早く充電されるように制御をする。例えば、充電制御部２３２は、第一蓄電池モジュール１４０に系統電源４３０から電力が供給されなくなったことを検知した場合、又は、蓄電システム１００のユーザから操作部２４０が充電レートを変更する指示を取得した場合に、充電レートを切り替える制御をする。
【００４４】
表示制御部２３３は、表示部２６０の表示態様を制御する。具体的には、表示制御部２３３は、本体部１１０及び可搬部２００が正常動作していると判断した場合、第一表示態様となるように表示部２６０を制御し、本体部１１０又は可搬部２００が異常動作していると判断した場合、第一表示態様とは異なる第二表示態様となるように表示部２６０を制御する。なお、異常動作とは、例えば、第一蓄電池モジュール１４０又は第二蓄電池モジュール２１０が充電されないといった、本体部１１０又は可搬部２００の故障を示す。つまり、表示制御部２３３は、ユーザが直感的に本体部１１０又は可搬部２００が故障しているかどうかを認識しやすくするために表示部２６０を制御する。
【００４５】
なお、制御部２３０が備える、光制御部２３１と、充電制御部２３２と、表示制御部２３３とは、１つの制御装置によって実現されてもよいし、複数の制御装置によって実現されてもよい。
【００４６】
操作部（ボタン）２４０は、ユーザが操作する、ユーザからの指示を取得するボタンである。例えば、ユーザは、可搬部２００と外部機器３００とをケーブル３１０（図６参照）を用いて電気的に接続させる。続いて、充電制御部２３２は、ユーザがボタン２４０を押したことを検出した場合に（つまり、操作部２４０がユーザからの指示を取得した場合に）、第二蓄電池モジュール２１０から外部機器３００への電力の供給（つまり、外部機器３００の充電）を開始させる制御をする。また、例えば、光制御部２３１は、ユーザがボタン２４０を押したことを検出した場合に、照明部２５０を点灯させる制御をする。なお、可搬部２００は、上述した充電制御部２３２及び光制御部２３１の制御に応じたボタン２４０を複数備えてもよい。また、可搬部２００は、一つのボタン２４０を備え、ユーザがボタン２４０を押した回数を検出することで、当該回数に応じて充電制御部２３２又は光制御部２３１が上述した制御をしてもよい。
【００４７】
照明部２５０は、所定の状態に応じて発光する発光部である。所定の状態とは、例えば、第一蓄電池モジュール１４０に系統電源４３０から電力が供給されなくなったことを検知した場合、又は、ユーザから操作部２４０が照明部２５０を点灯させる指示を取得した状態である。照明部２５０は、例えば、ＬＥＤ（Ｌｉｇｈｔ  Ｅｍｉｔｔｉｎｇ  Ｄｉｏｄｅ）等の光源から構成される。
【００４８】
表示部２６０は、蓄電システム１００の状態（具体的には、本体部１１０及び可搬部２００の状態）を表示するための表示装置である。表示部２６０は、例えば、ＬＥＤ等の光源、又は、ディスプレイ等から構成される。本実施の形態においては、表示部２６０は、２つの光源を備える。表示制御部２３３は、例えば、本体部１１０及び可搬部２００に故障個所がないかどうかの状態を、光源の点灯数を制御することでユーザに提示する。なお、表示部２６０に採用される光源の数、色等は特に限定されない。表示部２６０は、例えば異なる発光色を発光可能な光源を複数備えてもよい。
【００４９】
表示制御部２３３は、例えば、本体部１１０が正常動作をしている場合には、第一表示態様として、表示部２６０を緑色の発光色で点灯させる制御をする。また、表示制御部２３３は、例えば、本体部１１０が異常動作をしている場合には、第二表示態様として、表示部２６０を赤色の発光色で点滅点灯させる制御をする。
【００５０】
なお、表示制御部２３３は、本体部１１０又は可搬部２００の、正常動作又は異常動作以外の状態を表示してもよい。例えば、本体部１１０が備える装置、部品等に故障がないかを調査する制御を制御部２３０が実行している場合、表示制御部２３３は、表示部２６０を黄色の発光色で、第二表示態様よりも遅く点滅点灯させる制御をしてもよい。
【００５１】
また、表示制御部２３３は、例えば本体部１１０及び可搬部２００が正常動作している場合には、第二蓄電池モジュール２１０に現在蓄電されている容量を表示部２６０に表示させてもよい。例えば、表示部２６０は２つの光源から構成され、表示制御部２３３は、第二蓄電池モジュール２１０が満充電の場合には、２つの光源を点灯させ、満充電ではない場合には、当該２つの光源の内の１つの光源を点灯させる制御をしてもよい。
【００５２】
なお、照明部２５０の機能と表示部２６０の機能とは、例えば、光源等の発光部として、一体的に形成されてもよい。つまり、当該発光部が、照明部２５０の機能と表示部２６０の機能とを有してもよい。
【００５３】
また、操作部２４０は、ユーザが押すことで動作するボタンでなくてもよい。例えば、操作部２４０の機能と表示部２６０の機能とは、例えば、タッチパネルディスプレイ等を用いて、一体的に形成されてもよい。つまり、当該タッチパネルディスプレイが、操作部２４０の機能と表示部２６０の機能とを有してもよい。
【００５４】
第三端子部２７０は、可搬部２００と外部機器３００（図６参照）とを電気的に接続するための端子である。具体的には、第三端子部２７０は、外部機器３００に、第二蓄電池モジュール２１０に蓄電された電力を供給するための、当該外部機器３００と電気的に接続可能な端子である。第三端子部２７０は、例えば、ＵＳＢ（Ｕｎｉｖｅｒｓａｌ  Ｓｅｒｉａｌ  Ｂｕｓ）接続端子であり、ケーブル３１０（図６参照）を介して外部機器３００と電気的に接続される。
【００５５】
通信部２８０は、可搬部２００がＰＣＳ４００と通信するための通信インターフェースである。
【００５６】
次に、図３〜図８を参照して、実施の形態に係る蓄電システム１００が備える可搬部２００の構造の詳細について説明する。
【００５７】
図３は、実施の形態に係る蓄電システム１００が備える可搬部２００及び第一端子部１５０を正面側から見た場合を示す外観図である。図４は、実施の形態に係る蓄電システム１００が備える第一端子部１５０を正面側から見た場合を示す外観図である。具体的には、図４は、図３とは異なる角度から第一端子部１５０を見た場合を示す外観図である。図５は、実施の形態に係る蓄電システム１００が備える可搬部２００を底面側から見た場合を示す外観図である。図６は、実施の形態に係る蓄電システム１００が備える可搬部２００と外部機器３００との接続状態を説明するための図である。図７は、実施の形態に係る蓄電システム１００が備える可搬部２００をユーザが本体部１１０から取り外した状態を説明するための図である。
【００５８】
図３〜図５に示されるように、可搬部２００は、把持部２０１と、第二端子部２２０と、第三端子部２７０とを備える。
【００５９】
把持部２０１は、ユーザが可搬部２００を本体部１１０から取り外して、所望の場所まで運ぶ際につかむ持ち手である。把持部２０１は、可搬部２００の上面（可搬部２００が本体部１１０に取り付けられた場合のＺ軸正方向側の面）に取り付けられている。
【００６０】
図７に示されるように、ユーザＵは、例えば、停電が発生した場合に、可搬部２００を本体部１１０から取り外す。光制御部２３１は、上述したように、操作部２４０がユーザから照明部２５０を点灯する指示を取得した場合、又は、第一蓄電池モジュール１４０に系統電源４３０から電力が供給されなくなったことを検知した場合、照明部２５０を点灯させる制御をする。こうすることで、停電が発生した場合においても、照明部２５０が点灯して出射光Ｌを発するため、ユーザＵは、可搬部２００の位置を確認しやすく、且つ、可搬部２００を非常用の光源として利用することができる。
【００６１】
第二端子部２２０は、可搬部２００が本体部１１０（具体的には第一端子部１５０）に取り付けられた場合に、第一端子部１５０が備える第一端子１５１と電気的に接続される端子部である。具体的には、可搬部２００が第一端子部１５０に取り付けられた場合に、第一端子１５１と、第二端子部２２０が備える第二端子２２１とは電気的に接続される。
【００６２】
第三端子部２７０は、上述したように、可搬部２００と外部機器３００とを電気的に接続するための端子である。
【００６３】
図６に示されるように、第三端子部２７０は、例えば、ＵＳＢ接続端子であり、ケーブル３１０を介して外部機器３００と電気的に接続される。充電制御部２３２は、第二蓄電池モジュール２１０に蓄えられた電力を外部機器３００へ供給させる制御をする。つまり、充電制御部２３２は、第二蓄電池モジュール２１０を用いて外部機器３００を充電する制御をする。
【００６４】
また、第二端子部２２０の側面には、突起部２０２が形成されている。
【００６５】
突起部２０２は、可搬部２００を第一端子部１５０から着脱する際に、所定の方向からのみ着脱できるようにするための規制部分である。可搬部２００は、第一端子部１５０に着脱される場合に、突起部２０２と第一端子部１５０に形成された溝部１５２とによって位置を規制される。ユーザは、把持部２０１を、第一端子部１５０側を軸として回動させることで、可搬部２００を第一端子部１５０から取り外す。つまり、可搬部２００を第一端子部１５０から取り外すためには、所定の方向に可搬部２００を回動させる必要があるため、可搬部２００は、第一端子部１５０から、例えば地震等が発生した場合においても、誤って外れにくくなる。
【００６６】
図８は、実施の形態に係る蓄電システム１００が備える可搬部２００を第一端子部１５０から取り外す場合の可搬部２００の動きを説明するための図である。具体的には、図８は、ユーザが可搬部２００を第一端子部１５０から取り外す際の、可搬部２００の動かし方を説明するための図である。より具体的には、図８の（ａ）は、可搬部２００が第一端子部１５０に取付けられている状態を説明するための図である。また、図８の（ｂ）は、可搬部２００が第一端子部１５０から取り外される過程で、且つ、突起部２０２が溝部１５２に嵌合している状態を説明するための図である。また、図８の（ｃ）は、可搬部２００が第一端子部１５０から取り外された状態を説明するための図である。
【００６７】
図８の（ａ）に示されるように、突起部２０２は、溝部１５２によって形成された空間に位置する。つまり、突起部２０２は、溝部１５２と嵌合している。溝部１５２は、第一端子部１５０の内面に、第一端子部１５０のＸ軸正方向側の側端部から下側方向へ斜めに延在するように形成されている。つまり、突起部２０２と溝部１５２が嵌合している状態においては、可搬部２００は、突起部２０２及び溝部１５２によって、上側（Ｚ軸正方向側）方向へは取り外せない。つまり、可搬部２００は、地震等による振動では、第一端子部１５０から誤って外れにくくなるように構成されている。
【００６８】
図８の（ｂ）に示されるように、ユーザは、可搬部２００を第一端子部１５０から取り外す場合に、第一端子部１５０側を基点として可搬部２００を回動させる。例えば、ユーザは、把持部２０１を図８の（ｂ）に示す矢印の方向へ回動させる。ＸＺ平面に垂直な方向から突起部２０２を見た場合に、突起部２０２は、可搬部２００の長手方向に長尺な楕円形状を有する。突起部２０２は、可搬部２００が回動されることによって、溝部１５２の延在方向に対する長手方向の向きが変わる。つまり、突起部２０２は、可搬部２００が回動されることで、溝部１５２に沿って移動可能となる。
【００６９】
図８の（ｃ）に示されるように、ユーザは図８の（ｃ）に示す矢印の方向へ可搬部２００を動かすことで、第一端子部１５０から可搬部２００を取り外すことができる。
【００７０】
以上のことから、可搬部２００は、第一側面１２１と交差する方向の軸を回転軸として回動されることで、第一端子部１５０と着脱可能となるように構成される。
【００７１】
次に、図９を参照して、光制御部２３１の具体的な動作について説明する。
【００７２】
図９は、実施の形態に係る蓄電システム１００が備える光制御部２３１が照明部２５０を制御する際の動作手順を示すフローチャートである。
【００７３】
例えば、災害時に停電が発生し、検知部４６０で系統電源４３０からの供給が遮断されたことが検知された場合、可搬部２００は、懐中電灯等の非常用の光源として機能する。具体的には、光制御部２３１は、系統電源４３０からの電力の供給が停止された場合に、照明部２５０を点灯させる制御をする。
【００７４】
図９に示されるように、光制御部２３１は、系統電源４３０からの電力の供給が停止されたか否かの判定を行う（ステップＳ１０１）。具体的には、ステップＳ１０１において、光制御部２３１は、検知部４６０（より具体的には、ＰＣＳ制御部４０１）から、系統電源４３０からの電力の供給が遮断された旨を示す信号を、通信部２８０を介して取得したか否かを判定する。
【００７５】
また、光制御部２３１は、系統電源４３０からの電力の供給が停止されていないと判定した場合（ステップＳ１０１でＮｏ）、ユーザから点灯指示を取得したか否かを判定する（ステップＳ１０２）。具体的には、ステップ１０２において、光制御部２３１は、操作部２４０がユーザから照明部２５０を点灯する指示を取得したか否かを判定する。
【００７６】
光制御部２３１は、ユーザから照明部２５０を点灯する指示を取得していない場合（ステップＳ１０２でＮｏ）、ステップＳ１０１及びステップＳ１０２の動作を繰り返す。
【００７７】
一方、光制御部２３１は、系統電源４３０から電力の供給が停止されたと判定した場合（ステップＳ１０１でＹｅｓ）、又は、ユーザから点灯指示を取得した場合（ステップＳ１０２でＹｅｓ）、照明部２５０を点灯させる制御をする（ステップＳ１０３）。
【００７８】
次に、光制御部２３１は、系統電源４３０からの電力の供給が再開されたか否かの判定を行う（ステップＳ１０４）。
【００７９】
また、光制御部２３１は、系統電源４３０から電力の供給が再開されていない判定した場合（ステップＳ１０４でＮｏ）、又は、系統電源４３０から電力は供給されており（ステップＳ１０１でＹｅｓ）且つユーザから点灯指示を取得して（ステップＳ１０２でＹｅｓ）照明部２５０を点灯させていた場合、ユーザから消灯指示を取得したか否かを判定する（ステップＳ１０５）。具体的には、ステップ１０５において、光制御部２３１は、操作部２４０がユーザから照明部２５０を消灯する指示を取得したか否かを判定する。
【００８０】
光制御部２３１は、ユーザから照明部２５０を消灯する指示を取得していない場合（ステップＳ１０５でＮｏ）、ステップＳ１０４及びステップＳ１０５の動作を繰り返す。
【００８１】
一方、光制御部２３１は、系統電源４３０から電力の供給が再開されたと判定した場合（ステップＳ１０４でＹｅｓ）、又は、ユーザから消灯指示を取得した場合（ステップＳ１０５でＹｅｓ）、照明部２５０を消灯させる（ステップＳ１０６）。
【００８２】
続いて、図１０を参照して、充電制御部２３２の具体的な動作について説明する。
【００８３】
図１０は、実施の形態に係る蓄電システム１００が備える充電制御部２３２が第二蓄電池モジュール２１０の充電モードを変更する場合の動作手順を示すフローチャートである。
【００８４】
充電制御部２３２は、系統電源４３０から供給されてきた電力を第一蓄電池モジュール１４０に供給させ、第一蓄電池モジュール１４０を充電させる。また、充電制御部２３２は、系統電源４３０から供給されてきた電力を第二蓄電池モジュール２１０へ供給させ、第二蓄電池モジュール２１０を充電させる。
【００８５】
第一蓄電池モジュール１４０及び第二蓄電池モジュール２１０を充電する充電速度である充電レートは予め定められており、充電制御部２３２は、予め定められた充電レートである通常モードで、第二蓄電池モジュール２１０を充電させる制御をする。
【００８６】
例えば、災害時に停電などによって、検知部４６０で系統電源４３０からの電力の供給が遮断されたことが検知された場合、ユーザは、急遽、可搬部２００を本体部１１０から外して使用することが想定される。その場合には、可搬部２００（具体的には、可搬部２００が備える第二蓄電池モジュール２１０）を早く充電する必要がある。そのために、充電制御部２３２は、系統電源４３０からの電力の供給が遮断されたことが検知された場合、第二蓄電池モジュール２１０の充電レートを通常モードよりも早くした高速モードで、第二蓄電池モジュール２１０を充電させるように制御する。
【００８７】
図１０に示されるように、充電制御部２３２は、系統電源４３０から電力の供給が停止されたか否かの判定を行う（ステップＳ２０１）。具体的には、ステップＳ２０１において、充電制御部２３２は、検知部４６０が系統電源４３０から電力の供給の遮断を検知し、ＰＣＳ制御部４０１から系統電源４３０が電力の供給の遮断されたことを示す信号を、通信部２８０を介して取得したか否かを判定する。
【００８８】
充電制御部２３２は、系統電源４３０から電力の供給が停止されたと判定した場合（ステップＳ２０１でＹｅｓ）、高速モードで第二蓄電池モジュール２１０を充電させる制御をする（ステップＳ２０２）。
【００８９】
一方、充電制御部２３２は、系統電源４３０からの電力供給が停止されていないと判定した場合（ステップＳ２０１でＮｏ）、通常モードで第二蓄電池モジュール２１０を充電させる制御をする（ステップＳ２０３）。
【００９０】
続いて、図１１を参照して、表示制御部２３３の具体的な動作について説明する。
【００９１】
図１１は、実施の形態に係る蓄電システム１００が備える表示制御部２３３が表示部２６０の表示態様を変更する場合の動作手順を示すフローチャートである。
【００９２】
表示制御部２３３は、上述したように、本体部１１０及び可搬部２００が正常動作していると判断した場合、第一表示態様となるように表示部２６０を制御する。また、表示制御部２３３は、本体部１１０又は可搬部２００が異常動作していると判断した場合、第一表示態様とは異なる第二表示態様となるように表示部２６０を制御する。
【００９３】
図１１に示されるように、蓄電システム１００を起動した場合、表示制御部２３３は、表示部２６０が第一表示態様となるように、表示部２６０の制御をする（ステップＳ３０１）。例えば、表示制御部２３３は、第一表示態様として、表示部２６０を緑色の発光色で点灯させる制御をする。
【００９４】
次に、表示制御部２３３は、本体部１１０又は可搬部２００から異常動作が検知されたか否かの判定を行う（ステップＳ３０２）。具体的には、ステップＳ３０２において、表示制御部２３３は、本体部１１０及び可搬部２００が備える装置、部品等に故障がないかどうかを検出する。
【００９５】
表示制御部２３３は、本体部１１０又は可搬部２００から異常動作を検知した場合（ステップＳ３０２でＹｅｓ）、表示部２６０が第二表示態様となるように、表示部２６０の制御をする（ステップＳ３０３）。例えば、表示制御部２３３は、第二表示態様として、表示部２６０を赤色の発光色で点滅点灯させる制御をする。
【００９６】
一方、表示制御部２３３は、本体部１１０又は可搬部２００から異常動作を検知されない場合（ステップＳ３０２でＮｏ）、表示部２６０が第一表示態様となるように制御し続け、本体部１１０又は可搬部２００の異常動作の検知を続ける。
【００９７】
また、ステップＳ３０３の次に、表示制御部２３３は、本体部１１０又は可搬部２００が正常動作となるように復旧されたか否かの判定を行う（ステップＳ３０４）。具体的には、ステップＳ３０４において、表示制御部２３３は、本体部１１０及び可搬部２００が備える装置、部品等を点検・確認し、正常動作をしているかどうかを検出する。
【００９８】
表示制御部２３３は、本体部１１０又は可搬部２００が正常動作となり、復旧されたと判定した場合（ステップＳ３０４でＹｅｓ）、表示部２６０が第一表示態様となるように、表示部２６０の制御をする（ステップＳ３０１）。
【００９９】
一方、表示制御部２３３は、本体部１１０又は可搬部２００が異常動作のままであり、復旧されていないと判定した場合（ステップＳ３０４でＮｏ）、表示部２６０を第二表示態様のままで制御し続ける（ステップＳ３０３）。
【０１００】
表示制御部２３３は、以上のステップＳ３０１〜ステップＳ３０４の制御をし続ける。
【０１０１】
（実施の形態の変形例１）
［蓄電システムの構成］
続いて、実施の形態の変形例１に係る蓄電システムの説明をする。なお、実施の形態１に係る蓄電システム１００と実質的に同一の構成に対しては同一の符号を付しており、重複する説明は省略又は簡略化する場合がある。
【０１０２】
図１２は、実施の形態の変形例１に係る蓄電システムの外観斜視図である。
【０１０３】
図１２に示されるように、蓄電システム１００ａにおいては、第一端子部１５０は、上述した実施の形態と同様に、筐体１２０が有する側面側に位置する。具体的には、本変形例１においては、上述した実施の形態と同様に、第一端子部１５０は、筐体１２０の外側で、第一側面１２１に取付けられている。蓄電システム１００ａにおいては、ユーザは、把持部２０１をＹＺ面内方向に回動させることで、可搬部２００を本体部１１０（具体的には第一端子部１５０）から取り外すように、第一端子部１５０は構成されている。具体的には、蓄電システム１００ａにおいて、第一端子部１５０は、蓄電システム１００とは向きが異なるように、第一側面１２１に取り付けられている。溝部１５２は、第一端子部１５０の内面に、第一端子部１５０のＹ軸正方向側の側端部から下側方向へ斜めに延在するように形成されている。つまり、蓄電システム１００ａにおいて、可搬部２００は、第二側面１２２と交差する方向の軸を回転軸として回動されることで、第一端子部１５０と着脱可能となるように構成される。
【０１０４】
蓄電システム１００及び蓄電システム１００ａは、例えば、家屋内の冷蔵庫とキッチンとの間などの隙間に配置されることが想定される。可搬部２００は、第一側面１２１と交差する方向又は第二側面１２２と交差する方向の軸を回転軸として回動されて、第一端子部１５０と着脱可能となるように構成される。こうすることで、蓄電システム１００又は蓄電システム１００ａが設置される場所のスペースを有効利用できる。
【０１０５】
（実施の形態の変形例２）
［蓄電システムの構成］
次に、実施の形態の変形例２に係る蓄電システムの説明をする。なお、実施の形態１に係る蓄電システム１００及び実施の形態の変形例１に係る蓄電システム１００ａと実質的に同一の構成に対しては同一の符号を付しており、重複する説明は省略又は簡略化する場合がある。
【０１０６】
図１３は、実施の形態の変形例２に係る蓄電システムの外観斜視図である。
【０１０７】
図１３に示されるように、蓄電システム１００ｂにおいては、可搬部２００が電気的に接続される第一端子部１５０は、上述した実施の形態と同様に、筐体１２０が有する側面側に位置する。また、ユーザは、蓄電システム１００ａと同様に、把持部２０１をＹＺ面内方向に回動させることで、可搬部２００を本体部１１０（具体的には第一端子部１５０）から取り外すように、第一端子部１５０は構成されている。言い換えると、蓄電システム１００ｂにおいて、第一端子部１５０は、蓄電システム１００ａと同じ向きで、筐体１２０に取り付けられている。つまり、蓄電システム１００ｂにおいて、可搬部２００は、第二側面１２２と交差する方向の軸を回転軸として回動されることで、第一端子部１５０と着脱可能となるように構成される。
【０１０８】
ここで、蓄電システム１００ｂは、蓄電システム１００及び蓄電システム１００ａとは異なり、可搬部２００（具体的には、可搬部２００が取り付けられる第一端子部１５０）が筐体１２０の内側に取り付けられている。つまり、第一端子部１５０は、筐体１２０の内側に位置する。このような構成とすることで、ユーザが可搬部２００に意図せず接触して、可搬部２００が第一端子部１５０から誤って外れることが抑制される。
【０１０９】
なお、蓄電システム１００ｂのように、可搬部２００が筐体１２０の内側に配置される場合、例えば、筐体１２０の第一側面１２１に、開閉自在な扉部１２４が設けられてもよい。ユーザは、可搬部２００を本体部１１０から取り外して持ち出す場合、扉部１２４を開いて、可搬部２００を本体部１１０から取り外して持ち運ぶ。
【０１１０】
また、上述したように、光制御部２３１は、系統電源４３０から電力の供給が停止されたと判定した場合、照明部２５０を点灯させる制御をする。照明部２５０が発する出射光を、可搬部２００が筐体１２０の内側に配置された場合においてもユーザが確認しやすくするために、扉部１２４には、照明部２５０が発する出射光を透過する窓部１２５が形成されてもよい。
【０１１１】
［効果等］
実施の形態に係る蓄電システム１００は、系統電源４３０に接続されるＰＣＳ（パワーコンディショナ）４００と接続される蓄電システムである。蓄電システム１００は、ＰＣＳ４００から供給される電力を蓄電する第一蓄電池モジュール１４０、第一蓄電池モジュール１４０を内包する筐体１２０、及び、電力を供給するための第一端子部１５０を有する本体部１１０を備える。また、蓄電システム１００は、さらに、第一端子部１５０と電気的に接続可能であり、本体部１１０から供給される電力を受電する第二端子部２２０、及び、第一蓄電池モジュール１４０よりも蓄電容量が小さく、第二端子部２２０を介して本体部１１０から供給される電力を充電する第二蓄電池モジュール２１０を有する、第一端子部１５０と着脱可能な可搬部２００を備える。また、第一端子部１５０は、筐体１２０が有する側面側に位置する。
【０１１２】
このような構成によれば、ユーザは、第二蓄電池モジュール２１０を有する可搬部２００を、本体部１１０から取り外して持ち運ぶことができる。つまり、ユーザは、蓄電システム１００が備える蓄電池モジュールを、所望の場所で利用することができる。そのため、蓄電システム１００によれば、ユーザにとって利便性が向上される。
【０１１３】
また、ユーザが可搬部２００を持ち出して利用することが想定されるために、持ち運びやすさの観点から、第二蓄電池モジュール２１０は、第一蓄電池モジュール１４０よりも蓄電容量が小さい。つまり、第二蓄電池モジュール２１０は、第一蓄電池モジュール１４０よりも小型、且つ、軽量である。こうすることで、蓄電システム１００によれば、ユーザにとって利便性が向上される。また、例えば、可搬部２００が筐体１２０の外側の側面に設置される場合、蓄電システム１００の重心は、可搬部２００が設置される方へ偏る。第二蓄電池モジュール２１０を第一蓄電池モジュール１４０よりも軽量とすることで、蓄電システム１００の重心が、可搬部２００が設置される方へ偏ることが抑制される。こうすることで、蓄電システム１００を床に設置した場合に、蓄電システム１００は倒れにくくなる。
【０１１４】
また、可搬部２００が筐体１２０内部の中央側ではなく、側面側に位置する。そのため、ユーザは、可搬部２００を筐体１２０から取り外しやすくなる。そのため、蓄電システム１００の利便性は向上される。
【０１１５】
また、第一端子部１５０は、筐体１２０が有する第一側面１２１側に位置してもよい。第一側面１２１は、筐体１２０が有する側面の中で、最大面積を有する第二側面１２２よりも面積が小さくてもよい。
【０１１６】
このような構成によれば、例えば、筐体１２０の外側に可搬部２００が取り付けられた場合においても、家屋内の、電気製品、キッチン等の間に形成される狭い隙間に蓄電システム１００を設置しやすい。
【０１１７】
また、可搬部２００は、第一側面１２１と交差する方向の軸を回転軸として回動されることで、第一端子部１５０と着脱可能となるように構成されもよい。また、可搬部２００は、第二側面１２２と交差する方向の軸を回転軸として回動されることで、第一端子部１５０と着脱可能となるように構成されてもよい。
【０１１８】
このような構成によれば、地震等によって蓄電システム１００、１００ａ、及び、１００ｂが振動した場合においても、簡単に可搬部２００と本体部１１０とは外れにくくなる。そのため、このような構成によれば、可搬部２００が本体部１１０から意図せず外れることによって、床等に落下することによる故障等が抑制される。
【０１１９】
また、可搬部２００は、照明部２５０と、照明部２５０の点灯を制御する光制御部２３１と、ユーザからの指示を取得する操作部２４０とを有してもよい。光制御部２３１は、操作部２４０がユーザから照明部２５０を点灯する指示を取得した場合、及び、第一蓄電池モジュール１４０に系統電源４３０から電力が供給されなくなったことを検知した場合、照明部２５０を点灯させてもよい。
【０１２０】
このような構成によれば、系統電源４３０から電力の供給の停止（つまり、停電）等が発生した場合に、照明部２５０が点灯する。そのため、ユーザは、停電が発生した場合においても、可搬部２００の位置を確認しやすい。また、ユーザは、停電が発生した場合に、可搬部２００を持ち出して、可搬部２００をユーザの周辺を照らす光源として利用することができる。また、ユーザが操作部２４０を操作することで任意に照明部２５０を点灯できるようにすることで、ユーザの所望のタイミングで照明部２５０を点灯できるため、可搬部２００の利便性は向上される。
【０１２１】
また、可搬部２００は、さらに、外部機器３００に電力を供給するための、外部機器３００と電気的に接続可能な第三端子部２７０を備えてもよい。
【０１２２】
このような構成によれば、ユーザは、可搬部２００を持ち出して、所望の場所で外部機器３００を充電することができる。そのため、可搬部２００の利便性は向上される。
【０１２３】
また、可搬部２００は、さらに、第二蓄電池モジュール２１０の充電レートを、第一蓄電池モジュール１４０と同じ充電レートである通常モードと、当該通常モードよりも高い充電レートである高速モードとを切り替える制御をする充電制御部を備えてもよい。
【０１２４】
例えば、停電が発生した場合等には、可搬部２００は、ユーザに本体部１１０から取り外して持ち出される可能性が高い。このような構成によれば、状態に応じて第二蓄電池モジュール２１０を早く充電できるため、ユーザは、可搬部２００を本体部１１０からより早く外して利用することができる。
【０１２５】
また、本体部１１０は、第一蓄電池モジュール１４０の電力を第二蓄電池モジュールに供給するための電源部１６０を備えてもよい。電源部１６０は、第一蓄電池モジュール１４０及び第二蓄電池モジュール２１０の少なくとも一方よりも上方に配置されていてもよい。
【０１２６】
電源部１６０は、通電された場合に、発熱しやすい。このような構成によれば、電源部１６０からの第一蓄電池モジュール１４０及び第二蓄電池モジュール２１０への熱の影響が抑制される。
【０１２７】
また、可搬部２００は、さらに、表示部２６０と、表示部２６０の表示態様を制御する表示制御部２３３とを備えてもよい。表示制御部２３３は、本体部１１０及び可搬部２００が正常動作していると判断した場合、第一表示態様となるように表示部２６０を制御し、本体部１１０又は可搬部２００が異常動作していると判断した場合、第一表示態様とは異なる第二表示態様となるように表示部２６０を制御してもよい。
【０１２８】
このような構成によれば、ユーザは、本体部１１０又は可搬部２００の故障に気づきやすい。
【０１２９】
（他の実施の形態）
以上、実施の形態に係る蓄電システムについて説明したが、本発明は、上記実施の形態に限定されるものではない。
【０１３０】
上記実施の形態では、制御部２３０は、プロセッサがプログラムを実行することによってソフトウェア的に実現されたが、このような実現方法に限られず、ゲートアレイ等を用いた専用の電子回路によってハードウェア的に実現されてもよい。
【０１３１】
また、上記実施の形態では、可搬部２００の操作部（ボタン）２４０、照明部２５０、及び、表示部２６０は可搬部２００の同じ側面に設けられたが、限定されるものではなく、例えば、それぞれが別の側面に設置されていてもよい。また、第三端子部２７０は、可搬部２００の操作部（ボタン）２４０、照明部２５０、及び、表示部２６０は可搬部２００と同じ側面に設けられてもよい。
【０１３２】
また、可搬部２００の第二端子部２２０と外部機器とを電気的に接続することにより、外部機器を充電できるようにしてもよい。言い換えると、充電制御部２３２は、第二端子部２２０と外部機器とが電気的に接続された場合に、第二蓄電池モジュール２１０に充電されている電力を当該外部機器に供給させる制御をしてもよい。
【０１３３】
また、充電制御部２３２は、第一蓄電池モジュール１４０に系統電源４３０から電力が供給されなくなったことを検知した場合、第二蓄電池モジュール２１０に蓄えられた電力を、第一蓄電池モジュール１４０に供給させてもよい。
【０１３４】
また、可搬部２００と第一端子部１５０とが簡単に着脱されないように、可搬部２００と第一端子部１５０とには、可搬部２００と第一端子部１５０とをロックする機構が形成されてもよい。例えば、可搬部２００が備える第二端子部２２０の側面に凹部が形成され、第一端子部１５０には、当該凹部に嵌合可能であり、駆動可能な円筒状のロックピンが設けられてもよい。例えば、充電制御部２３２は、可搬部２００が備える第二蓄電池モジュール２１０を充電している場合には、ロックピンを駆動させて、凹部に嵌合させてもよい。このように、第二蓄電池モジュール２１０を充電している場合に、可搬部２００と第一端子部１５０との取り外しが行えない構成としてもよい。このような構成によれば、第二蓄電池モジュール２１０を充電中に、可搬部２００が、誤って第一端子部１５０から取り外されてしまうことを抑制することができる。
【０１３５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１３６】
１００、１００ａ、１００ｂ  蓄電システム
１１０  本体部
１２０  筐体
１２１  側面（第一側面）
１２２  側面（第二側面）
１４０  第一蓄電池モジュール
１５０  第一端子部
１６０  電源部（ＤＣＤＣコンバータ）
２００  可搬部
２１０  第二蓄電池モジュール
２２０  第二端子部
２３１  光制御部
２３２  充電制御部
２３３  表示制御部
２４０  操作部（ボタン）
２５０  照明部
２６０  表示部
２７０  第三端子部
３００  外部機器
４００  ＰＣＳ（パワーコンディショナ）
４３０  系統電源
Ｕ  ユーザ
【図１】
2018139467.tif 000003
【図２】
2018139467.tif 000004
【図３】
2018139467.tif 000005
【図４】
2018139467.tif 000006
【図５】
2018139467.tif 000007
【図６】
2018139467.tif 000008
【図７】
2018139467.tif 000009
【図８】
2018139467.tif 000010
【図９】
2018139467.tif 000011
【図１０】
2018139467.tif 000012
【図１１】
2018139467.tif 000013
【図１２】
2018139467.tif 000014
【図１３】
2018139467.tif 000015